(57)【要約】【課題】本発明は、包装材料のコスト軽減を図ることができ、且つ、箱内への包装作業及び解体作業の効率化を図ることができる物品保持部材を提供することを目的とする。また、本発明は１個の可撓性部材内に物品を収納することにより、当該物品を強固に支持することのできる物品保持部材を提供することを目的とする。【解決手段】周縁部を上下へ折り曲げて折り曲げ部を形成した基板の中央部に貫通孔を形成し、該基板の側辺部間に可撓性を有する部材を架け渡して該貫通孔を被覆してなる物品保持部材において、該可撓性部材は左右両端部が重なるように折り返し部を形成し、その両端部が重なる位置を重合部とし、且つ該重合部を物品の挿入出口とした押し潰した形状の筒状体を形成し、該重合部が該貫通孔の略中央部に位置するように該折り曲げ部に該筒状体の開放部となる両側縁部を固定してなることを特徴とする物品保持部材。【選択図】図１
2005008244.tif 000002
【特許請求の範囲】
【請求項１】
周縁部を上下へ折り曲げて折り曲げ部を形成した基板の中央部に貫通孔を形成し、該基板の側辺部間に可撓性を有する部材を架け渡して該貫通孔を被覆してなる物品保持部材において、該可撓性部材は左右両端部が重なるように折り返し部を形成し、その両端部が重なる位置を重合部とし、且つ該重合部を物品の挿入出口とした押し潰した形状の筒状体を形成し、該重合部が該貫通孔の略中央部に位置するように該折り曲げ部に該筒状体の開放部となる両側縁部を固定してなることを特徴とする物品保持部材。
【請求項２】
周縁部を上下へ折り曲げて折り曲げ部を形成した基板の中央部に貫通孔を形成し、該基板の側辺部間に可撓性を有する部材を架け渡して該貫通孔を被覆してなる物品保持部材において、該可撓性部材は左右の折り返し部により折り返し、その両端部が重なる重合部を有し、且つ該重合部を物品の挿入出口とした押し潰した形状の筒状体とし、該重合部が該貫通孔の略中央部に位置するように該側辺部に該筒状体の開放部となる両側縁部及び折り返し部を各々固定してなることを特徴とする物品保持部材。
【請求項３】
可撓性部材を基板の裏面側に固定したことを特徴とする請求項１又は２に記載の物品保持部材。
【発明の詳細な説明】
【０００１】
【産業上の利用分野】
本発明は、破損し易い物品や精密機器類等を可撓性を有する部材間に挟んで保持することにより外部からの衝撃を吸収する物品保持部材に関する。
【０００２】
【従来の技術】
従来より、化粧料やアルコール等を収納しているガラス容器やプラスチック容器、カメラや時計等の精密機器類、又はプリント板や各種電子部品類等のように、外側からの衝撃に対して破壊又は破損し易い物品は、当該物品の運搬時に包装容器内にてガタつくことがないこと及び外部からの衝撃を吸収する手段をその周囲に用いて包装している。例えば、当該物品の輪郭に合わせて成形した発泡スチロール成形体や紙製成形体等からなる型材に物品を嵌め込み、該型材を物品の緩衝部材として利用したり、発泡緩衝シート、チップ材、緩衝ブロック状部材等を物品と箱との間隙に押し込んで外部からの衝撃を緩和するようにしたりして包装している。
しかし、上記包装手段は、高価であり、且つ包装に要する作業時間を必要とした。更に、物品に対する緩衝状態が必ずしも良好ではなかった。
【０００３】
そこで、図７に示すように、段ボール紙等により中仕切板Ａを形成し、その平面部の中央を切り抜き、該切り抜き部の開口部を第１の可撓性フィルムＢで覆って第１の中仕切板Ａを形成し、他方、上記中仕切板Ａに対向する位置に、上記可撓性フィルムＢの位置と一致するように平面部の中央を切り抜いて形成した開口部に第２の該可撓性フィルムＣで覆って第２の中仕切板Ｄを形成し、上記中仕切板Ａ、Ｄの該可撓性フィルムＢ、Ｃ間に衝撃に弱い物品Ｗを保持してなる物品保持部材が創案されている。
【０００４】
【発明が解決しようとする課題】
上記構造のものは、中仕切板Ａ、Ｄを２個使用し、その間に物品Ｗを挟むようにしているため、中仕切板Ａ、Ｄを段ボール等により２個製造する必要があり、コストアップを余儀なくされていた。
また、該中仕切板Ａ、Ｄは所定の箱内に収納して運搬することになるが、該箱内に収納する際、まず下方に位置する中仕切板Ａを箱内に収納し、該中仕切板Ａの該可撓性フィルムＢ上に様々な物品Ｗを配置し、その後、当該物品Ｗを押え付けるようにして上方部の中仕切板Ｄを箱内に収納することになる。従って、物品Ｗを収納するに際しては、上記のように箱内に下方の中仕切板Ａ、物品Ｗ及び上方の中仕切板Ｄを順次収納する必要があり、少なくとも３工程が必要となり、煩雑な物品収納作業となっていた。
【０００５】
また、物品Ｗの収納作業時に箱本体を移動させる必要があり、収納工程において箱の移動を伴うものであり、大きな収納作業スペースを必要とした。
更に、箱と中仕切板Ａ、Ｄとの関係において、大きさの相違が生じた場合、該箱内において中仕切板Ａ、Ｄが移動することとなり、従って、該中仕切板Ａ、Ｄ間に挟まれて保持されていた物品も当初の位置よりずれる可能性があった。
【０００６】
本発明は上記課題を解決するためになされたもので、包装材料コストの軽減を図ることができ、且つ、箱内への包装作業及び解体作業の効率化を図ることができる物品保持部材を提供することを目的とする。
また、本発明は１個の可撓性部材内に物品を収納することにより、当該物品を強固に支持することのできる物品保持部材を提供することを目的とする。
【０００７】
【課題を解決するための手段】
本発明は上記課題を解決するため、請求項１の発明では、周縁部を上下へ折り曲げて折り曲げ部を形成した基板の中央部に貫通孔を形成し、該基板の側辺部間に可撓性を有する部材を架け渡して該貫通孔を被覆してなる物品保持部材において、該可撓性部材は左右両端部が重なるように折り返し部を形成し、その両端部が重なる位置を重合部とし、且つ該重合部を物品の挿入出口とした押し潰した形状の筒状体を形成し、該重合部が該貫通孔の略中央部に位置するように該折り曲げ部に該筒状体の開放部となる両側縁部を固定してなる物品保持部材を特徴とする。
【０００８】
また、請求項２の発明では、周縁部を上下へ折り曲げて折り曲げ部を形成した基板の中央部に貫通孔を形成し、該基板の側辺部間に可撓性を有する部材を架け渡して該貫通孔を被覆してなる物品保持部材において、該可撓性部材は左右の折り返し部により折り返し、その両端部が重なる重合部を有し、且つ該重合部を物品の挿入出口とした押し潰した形状の筒状体とし、該重合部が該貫通孔の略中央部に位置するように該側辺部に該筒状体の開放部となる両側縁部及び折り返し部を各々固定してなる物品保持部材を特徴とする。
【０００９】
更に、請求項３の発明では、上記可撓性部材を基板の裏面側に固定した物品保持部材を特徴とする。
【００１０】
【実施例１】
以下、本発明の物品保持部材を実施例に基づいて説明する。
図１ないし図４は、本発明の物品保持部材の第１の実施例を示すものである。図１は物品保持部材を裏面側から見た斜視図である。
物品保持部材１は、板状の段ボール紙を折り曲げて形成したもので、四辺形状の基板２，該基板２の周縁部の各々対向する縁部を一方は上方へ約９０°折り曲げて折り曲げ上辺部３、３’とし、他方の対向する縁部を下方へ約９０°折り曲げ、更に、内側方向へ約９０°折り曲げＬ字状の折り曲げ下辺部４、４’を形成している。
【００１１】
該基板２は、側辺部５、５’・・を残してその中央部に開口部となる買通孔６を形成している。該基板２の裏面側には一方の折り曲げ上辺部３から対向する他方の折り曲げ上辺部３’にわたって可撓性を有する部材７を架け渡して該貫通孔６を被覆している。
【００１２】
図２は、上記可撓性部材７を裏面側から見た斜視図を示している。該可撓性部材７は巾広の平面状部材を、その左右両端部が重なるように折り返し部９、９’を形成し、該両端部が重なった位置を重合部８とし、全体として押し潰した形状の筒状体としている。従って、該重合部８と直交する両端部側には開放部１０、１０’が形成されている。
該可撓性部材としては、伸縮性を有するフィルム状のもの、包帯等に使用されるウレタン糸の伸縮性のある部材、ゴム系の部材及びそれらを組み合わせたもの等の布状のもの、或いはそれらをネット状に編み上げたもの等が使用される。
【００１３】
該可撓性部材７の開放部１０、１０’側となる側縁部１１、１１’を上記基板２の対向する折り曲げ上辺部３、３’の外表面側先端部に固定している。図１の点部分が固定箇所である。該固定手段としては貼着、糊着、粘着テープ等による適宜な手段が選ばれる。
【００１４】
上記可撓性部材７の重合部８は、その端縁部１２が物品Ｗを入出するための挿入出口となる。
該基板２の裏面側において、該可撓性部材７は折り曲げ上辺部３、３’の位置で強固に固定され、且つ基板２の貫通孔６を含め、その全面にわたり可撓性部材７により被覆されることになる。従って、物品Ｗの挿入時は、重合部８の端縁部１２を広げることにより上下の可撓性部材７間に物品Ｗを挿入するための開口部が得られることになる。挿入後は上記開口部となった部材７はその可撓性により元の状態に戻ることになり、当該箇所より部材の内側に挿入した物品は抜け出すことはない。
【００１５】
該可撓性部材７の開放部１０、１０’側の側縁部１１、１１’は上記の通り上辺部３、３’に固定されているので、挿入配設された物品Ｗは袋状とされた空間１３内において部材７の可撓性により上下・左右の各方向より押し付けられ、当該位置より移動することなく保持されることになる。
【００１６】
また、該可撓性部材７は、折り曲げ上辺部３、３’の先端側においてのみ固定されているので、比較的大きな物品Ｗを対象としても基板２の板面全体において持ち上げることができ、それら物品Ｗの部材７間への挿入時の入れ易さ及び取り出し易さが得られ、且つ収納する物品Ｗの大きさも貫通孔６全体を利用することが可能となる。
【００１７】
図５に示すように、物品Ｗを収納した状態の物品保持部材１は、段ボール等の箱１４内に、折り曲げ上辺部３、３’を上にし、折り曲げ下辺部４、４’を下にして配置される。図４に示すように、物品保持部材１の高さＨを、該箱１４の内側高さ寸法とほぼ同一に形成することにより、該折り曲げ下辺部４、４’の内側折り返し部１５、１５’が箱１４の底部に接することになり、且つ該折り曲げ下辺部４、４’の立ち上がり部１６、１６’側壁及び折り曲げ上辺部３、３’の側壁が箱１４の内側側壁に接することになる。
【００１８】
上記折り曲げ上辺部３、３’及び折り曲げ下辺部４、４’は、外方へ広がる方向に付勢されているので、物品保持部材１と箱１４との密着度は一層増加する。
従って、該物品保持部材１は基板２を箱１４内の空間部に位置させた状態で箱１４内に固定されることになり、物品Ｗは箱１４内において可撓性部材７に支持された吊り状態で保持されることになる。
【００１９】
物品Ｗが収納された物品保持部材１を箱１４から取り出す時は、折り曲げ上辺部３、３’を引き上げる等により容易に箱１４から取り出すことが可能である。
【００２０】
【実施例２】
図６は物品保持部材１７の他の実施例を示し、同物品保持部材１７を裏面側から見た斜視図である。該物品保持部材１７は、上記実施例１と同様、板状の段ボール紙を折り曲げて形成したもので、四辺形状の基板１８、該基板１８の周縁部を各々対向する位置の一方側を上方へ約９０°、他方側を下方へ約９０°折り曲げて各々折り曲げ上辺部１９、１９’及び折り曲げ下辺部２０、２０’を形成している。
【００２１】
該基板１８は、側辺部２１、２１’、２１”・を残してその中央部に開口部となる買通孔２２を形成している。該基板１８の板面には、その全面にわたって可撓性部材２３を被覆している。従って、該貫通孔２２も可撓性部材２３によって覆われることになる。
該可撓性部材２３は、図２に示す可撓性部材と同様の材質及び形状のものが使用される。
【００２２】
折り畳まれた筒状体となる可撓性部材２３は、基板１８の板面側全面に被覆され、その周縁部は該基板１８の側辺部２１、２１’、２１”・に実施例１と同様、適宜手段により固定される。
【００２３】
上記構成よりなる物品保持部材１７は、可撓性部材２３の周縁部が基板１８の側辺部２１、２１’、２１”・に固定されるので、その周囲全体が強固に固定されることになる。
本実施例２のものは、物品Ｗを収納する可撓性部材２３の可動範囲がほぼ貫通孔２２の側縁２４で囲まれた領域となるので、比較的小さめの物品Ｗを収納するのに適している。
特に可撓性部材２３の周縁部全体が基板１８に固定されるので、配設された物品Ｗは移動することなく強固に固定されることになる。
【００２４】
【発明の効果】
上記構成よりなる本発明の物品保持部材は、１個の基板上に物品の挿入出口となる重合部を形成した折り畳まれた筒状の袋体よりなる可撓性部材を固定したので、包装材としての材料を軽減できるとともに、箱内への包装作業及び解体作業の効率化を図ることが可能となった。
【００２５】
また、１個の可撓性部材を折り畳んで形成した袋体の内に物品を収納することができるので、箱と物品保持部材との関係において、仮にその相互の大きさが異なることにより該物品保持部材が該箱内において移動したとしても、該物品は物品保持部材と一緒になって移動することになり、当該保持状態を維持することが可能である。
【００２６】
更に、特に請求項１の発明にあっては、可撓性部材の開放部となる両側縁部のみを物品保持部材の折り曲げ部に固定しているので、該部材は基板上においてその全体を自由に持ち上げることが可能となり、比較的大きな物品の保持ができる。
【００２７】
また、請求項２の発明にあっては、可撓性部材の周縁部全体が基板の表面上に固定されているので、比較的小さめの物品を強固に保持することが可能となる。
【図面の簡単な説明】
【図１】本発明の物品保持部材の斜視図。
【図２】本発明の物品保持部材に使用する可撓性部材の斜視図。
【図３】本発明の物品保持部材の平面図。
【図４】本発明の物品保持部材の断面図。
【図５】本発明の物品保持部材を箱内に収納した状態の斜視図。
【図６】本発明の物品保持体の他の実施例の斜視図。
【図７】従来の物品保持部材の斜視図。
【符号の説明】
Ｗ・・・・・・物品
１・・・・・・物品保持部材
２・・・・・・基板
３、３’・・・・折り曲げ上辺部
４、４’・・・・折り曲げ下辺部
５、５’・・・・側辺部
６・・・・・・・貫通孔
７・・・・・・・可撓性部材
８・・・・・・・重合部
９、９’・・・・折り返し部
１０、１０’・・開放部
１１・・・・・・側縁部
１２・・・・・・端縁部
１３・・・・・・空間
１４・・・・・・箱
１５、１５’・・内側折り返し部
１６、１６’・・立ち上り部
１７・・・・・・物品保持部材
１８・・・・・・基板
１９・・・・・・折り曲げ上辺部
２０・・・・・・折り曲げ下辺部
２１、２１’・・・側込部
２２・・・・・・貫通孔
２３・・・・・・可撓性部材
２４・・・・・・側縁
【図１】
2005008244.tif 000003
【図２】
2005008244.tif 000004
【図３】
2005008244.tif 000005
【図４】
2005008244.tif 000006
【図５】
2005008244.tif 000007
【図６】
2005008244.tif 000008
【図７】
2005008244.tif 000009